(57)【要約】【課題】所望の機能を、所望のタイミングで発揮することができ、そして使用時によれくい吸収性物品を提供すること。【解決手段】機能性組成物を含み、平面方向及び厚さ方向を有する吸収性物品１であって、前記機能性組成物が、揮発性を有する第１機能性成分と、揮発性を有する第２機能性成分と、第２機能性成分を内包する水崩壊性のマイクロカプセルと、第２機能性成分を前記マイクロカプセルに内包させたまま保持する溶媒とを含み、吸収性物品１が、液透過性層２及び吸収層４の間に、平面方向に広がる、前記機能性組成物が塗布された機能性組成物塗布領域８と、接着剤が塗布された接着剤塗布領域９とを有し、そして接着剤塗布領域９が、液透過性層２及び吸収層４を直接又は間接的に接合する接着領域１０を有することを特徴とする吸収性物品１。【選択図】図１
2019018040.tif 000002
【特許請求の範囲】
【請求項１】
液透過性層と、液不透過性層と、前記液透過性層及び液不透過性層の間の吸収層と、機能性組成物とを含み、平面方向及び厚さ方向を有する吸収性物品であって、
前記機能性組成物が、揮発性を有する第１機能性成分と、水崩壊性のマイクロカプセルと、前記マイクロカプセルに内包されている、揮発性を有する第２機能性成分と、第２機能性成分を前記マイクロカプセルに内包させたまま保持する溶媒とを含み、
前記吸収性物品が、前記液透過性層及び前記吸収層の間に、前記平面方向に広がる、前記機能性組成物が塗布された機能性組成物塗布領域と、接着剤が塗布された接着剤塗布領域とを有し、そして
前記接着剤塗布領域が、前記液透過性層及び前記吸収層を直接又は間接的に接合する接着領域を有する、
ことを特徴とする、前記吸収性物品。
【請求項２】
前記接着剤塗布領域が、前記接着領域を、前記機能性組成物塗布領域と隣接して有する、請求項１に記載の吸収性物品。
【請求項３】
前記接着剤塗布領域が、前記マイクロカプセルを保持するマイクロカプセル保持領域をさらに有し、前記マイクロカプセル保持領域と、前記接着領域とが隣接して配置されている、請求項１又は２に記載の吸収性物品。
【請求項４】
前記接着領域が、前記溶媒を含まない、請求項１〜３のいずれか一項に記載の吸収性物品。
【請求項５】
前記吸収性物品が、機能性組成物塗布領域を間に挟んで、少なくとも前記液透過性層及び吸収層をエンボスすることにより形成されたエンボス部を有し、当該エンボス部が、前記マイクロカプセル及び第２機能性成分を保持している、請求項１〜４のいずれか一項に記載の吸収性物品。
【請求項６】
上記溶媒が、０．００〜０．６０のＩＯＢと、４０℃における０．０１〜８０ｍｍ2／ｓの動粘度と、１気圧及び２５℃における０．００〜０．０１Ｐａの蒸気圧を有する、請求項１〜５のいずれか一項に記載の吸収性物品。
【請求項７】
前記吸収層が、高吸収性材料を含む、請求項１〜６のいずれか一項に記載の吸収性物品。
【請求項８】
第１機能性成分及び第２機能性成分のそれぞれが、芳香機能、冷感機能、消臭機能、抗菌機能、スキンケア機能、並びにそれらの任意の組み合わせから成る群から選択される機能を有する、請求項１〜７のいずれか一項に記載の吸収性物品。
【請求項９】
第２機能性成分が、冷感機能を有する、請求項１〜８のいずれか一項に記載の吸収性物品。
【請求項１０】
第１機能性成分が、芳香機能を有する、請求項１〜９のいずれか一項に記載の吸収性物品。
【請求項１１】
前記吸収性物品が、前記液透過性層と、前記吸収層との間の補助シート層を含み、前記機能性組成物塗布領域が、前記液透過性層及び前記補助シート層の間、又は前記補助シート層及び前記吸収層の間に形成されている、請求項１〜１０のいずれか一項に記載の吸収性物品。
【請求項１２】
前記接着剤塗布領域が、前記液透過性層及び前記補助シートの間、又は前記補助シート及び前記吸収層の間に形成されている、請求項１１に記載の吸収性物品。
【発明の詳細な説明】
【技術分野】
【０００１】
本開示は、吸収性物品に関する。
【背景技術】
【０００２】
芳香機能、冷感機能等を備える吸収性物品が知られている。例えば、特許文献１には、表面シートと、裏面シートとの間に、清涼剤を含む冷感材料を備える吸収性物品が記載されている。特許文献１の吸収性物品では、上記清涼剤が、水崩壊性のポリマーセルに保護されており、上記清涼剤は、ユーザーの体液等に触れた後に放出される。
【先行技術文献】
【特許文献】
【０００３】
【特許文献１】特開２０１０−２３４０２７号公報
【発明の概要】
【発明が解決しようとする課題】
【０００４】
特許文献１に記載の吸収性物品では、清涼剤が水溶性のポリマーセル等に内包されているため、体液等の液体に接して初めてその機能を発揮するものの、ユーザーが吸収性物品を開封し、装着し、そして体液を吸収するまでは、その機能は発揮されない。
従って、本開示は、所望の機能を、所望のタイミングで発揮することができ、そして使用時によれにくい吸収性物品を提供することを目的とする。
【課題を解決するための手段】
【０００５】
本開示者らは、液透過性層と、液不透過性層と、上記液透過性層及び液不透過性層の間の吸収層と、機能性組成物とを含み、平面方向及び厚さ方向を有する吸収性物品であって、上記機能性組成物が、揮発性を有する第１機能性成分と、揮発性を有する第２機能性成分と、第２機能性成分を内包する水崩壊性のマイクロカプセルと、第２機能性成分を上記マイクロカプセルに内包させたまま保持する溶媒とを含み、上記吸収性物品が、上記液透過性層及び上記吸収層の間に、上記平面方向に広がる、上記機能性組成物が塗布された機能性組成物塗布領域と、接着剤が塗布された接着剤塗布領域とを有し、そして上記接着剤塗布領域が、上記液透過性層及び上記吸収層を直接又は間接的に接合する接着領域を有することを特徴とする吸収性物品を見出した。
【発明の効果】
【０００６】
本開示の吸収性物品は、所望の機能を、所望のタイミングで発揮することができ、そして使用時によれにくい。
【図面の簡単な説明】
【０００７】
【図１】図１は、本開示の実施形態の１つに従う吸収性物品の平面図である。
【図２】図２は、図１のＩＩ−ＩＩ断面における断面図である。
【図３】図３は、本開示の別の実施形態に従う吸収性物品の断面図である。
【図４】図４は、本開示の吸収性物品の製造工程を説明するための図である。
【発明を実施するための形態】
【０００８】
［定義］
本明細書における、いくつかの用語について、その定義を説明する。
［マイクロカプセル］
本明細書において、マイクロカプセルは、直径１〜１，０００μｍの大きさを有し、芯材（第２機能性成分）を内包する空間を有するカプセルを意味する。
上記カプセルは、芯材を内包し且つ芯材の放出を制御することができるものであれば、その外観形状は特に制限されず、例えば、球形、不定形等の外観形状が挙げられる。また、上記カプセルは、芯材を保持する空間を１つ有する単核型、又は芯材を保持する空間を複数有する多核型であることができる。上記空間の形状としては、球形、不定形等の空間形状が挙げられる。
上記マイクロカプセルの例としては、外観が球形であり且つ多核型の空間を有するものが挙げられる。
【０００９】
［水崩壊性］
本明細書において、「水崩壊性」は、マイクロカプセルに関する用語であり、体液等の液体（水溶液）と接することにより、内包する第２機能性成分を放出する程度に崩壊する性質を意味する。具体的には、マイクロカプセルが液体と接すると、マイクロカプセルの素材が水に溶解して崩壊する場合、マイクロカプセルが液体と接すると、マイクロカプセルが水に膨潤してその強度が低下し、マイクロカプセルが破壊されることにより崩壊する場合等が挙げられる。
【００１０】
［着用者］
本明細書において、「着用者」は、吸収性物品の着用者を意味し、例えば、使い捨ておむつにおける赤ちゃん、要介護者等、生理用ナプキンにおける女性等を意味する。
［ユーザー］
本明細書において、「ユーザー」は、吸収性物品のユーザーを意味し、上述の着用者に加え、吸収性物品を着用者に着用させる者、例えば、使い捨ておむつにおける母親、介護者等を意味する。
【００１１】
本開示の吸収性物品について、必要に応じて図面を用いて、以下、詳細に説明する。
図１は、本開示の実施形態の１つに従う吸収性物品の正面図であり、より具体的には、生理用ナプキンの正面図である。図２は、図１のＩＩ−ＩＩ断面における断面図である。
図１及び図２に示される吸収性物品１は、液透過性層としてのトップシート２と、液不透過性層としてのバックシート３と、トップシート２及びバックシート３の間の、吸収層としての吸収体４とを有する。
【００１２】
なお、図２は、本開示を理解しやすくするため、特に吸収性物品１の厚さ方向に拡大されている点に留意されたい。例えば、図２では、機能性組成物塗布領域８'及び８''を表示するため、接着剤塗布領域９''と、トップシート２との間にスペースが生じているが、実際には、接着剤塗布領域９''は、吸収体４と、トップシート２とを接合している。
【００１３】
図１に示される吸収性物品１は、吸収性物品１の長手方向の両側部に、吸収性物品１を、着用者の衣服、例えば、ショーツに固定するための、サイドシート５及びバックシート３から形成される、一対のサイドフラップ６を備える。
【００１４】
図１に示される吸収性物品１はまた、トップシート２及び吸収体４の間に、吸収性物品１の平面方向に広がる、接着剤が塗布された、３つの接着剤塗布領域９（９'，９''，９'''）を有する。３つの接着剤塗布領域９（９'，９''，９'''）は、吸収性物品１の長手方向に沿って、吸収性物品１の幅方向に一定の間隔をあけて配置されている。各接着剤塗布領域９では、接着剤が、吸収性物品１の幅方向に往復しながら（Ｚ状）、吸収性物品１の長手方向に沿って配置されている。また、３つの接着剤塗布領域９（９'，９''，９'''）は、吸収体４に接して配置されている。
【００１５】
図１に示される吸収性物品１は、トップシート２及び吸収体４の間に、吸収性物品１の平面方向に広がる、機能性組成物が塗布された、２つの機能性組成物塗布領域８（８'，８''）を有する。機能性組成物塗布領域８'及び８''は、それぞれ、接着剤塗布領域９'及び９'''に接して、トップシート２及び吸収体４の間に、面状に配置されている。また、機能性組成物塗布領域８'及び８''は、トップシート２と接して配置されている。なお、機能性組成物の組成については、後述する。
【００１６】
接着剤塗布領域９''は、トップシート２及び吸収体４を直接接合する接着領域１０を有する。また、接着剤塗布領域９'及び９'''のそれぞれは、トップシート２及び吸収体４を直接接合する接着領域１０と、マイクロカプセル保持領域１１とを有する。
なお、接着領域１０は、機能性組成物塗布領域８と接しておらず、より具体的には、接着領域１０が、機能性組成物の成分である溶媒を含まず、トップシート２と、吸収体４とを接合している。
マイクロカプセル保持領域１１では、粘着性を有する接着剤が、機能性組成物を構成するマイクロカプセルを保持している。
【００１７】
図１に示される吸収性物品１は、機能性組成物塗布領域８を間に挟んで、トップシート２と、吸収体４とをエンボスすることにより形成された、複数のエンボス部７を有し、エンボス部７は、機能性組成物塗布領域８と、吸収性物品１の厚さ方向に重複する範囲において、第２機能性成分をマイクロカプセルに内包させたまま保持している。
【００１８】
図１及び図２に示される実施形態では、接着剤塗布領域９は、接着剤を、吸収性物品１の幅方向に往復しながら、吸収性物品１の長手方向に塗布することにより形成されているが、本開示の吸収性物品では、接着剤塗布領域は特に制限されず、当技術分野で公知の様式で配置される。例えば、接着剤塗布領域は、スパイラル状、Ｚ状、線状、ドット状の形状で、吸収性物品の長手方向又は幅方向に沿って配置されることができる。
【００１９】
図１及び図２に示される実施形態では、機能性組成物塗布領域８は、吸収性物品１の長手方向両側部の接着剤塗布領域９の上に、面状に配置されているが、本開示の吸収性物品では、機能性組成物塗布領域８の配置は、図１及び図２に示されるものに限定されない。例えば、機能性組成物塗布領域は、面状、線状、スパイラル状、Ｚ状、ドット状等の形状で、吸収性物品の長手方向又は幅方向に沿って配置されることができる。さらに、機能性組成物塗布領域は、吸収性物品の長手方向の中心に配置されることができ、そして吸収性物品の長手方向の両側部に配置されることができる。
【００２０】
本開示の吸収性物品では、機能性組成物塗布領域は、機能性組成物が塗布された領域である。
上記機能性組成物は、第１機能性成分と、第２機能性成分と、第２機能性成分を内包する水崩壊性のマイクロカプセルと、溶媒とを含む。
なお、上記溶媒は、その粘度にもよるが、毛細管現象により、液透過性層、吸収層、所望による補助シート層等に移行する場合がある。
【００２１】
［第１機能性成分及び第２機能性成分］
第１機能性成分及び第２機能性成分のそれぞれが有する機能は、ユーザーに、当該成分がない場合と比較して快適性を提供する機能であれば、特に制限されず、例えば、芳香機能、冷感機能、消臭機能、抗菌機能、スキンケア機能、並びにそれらの任意の組み合わせから成る群から選択される機能が挙げられる。
なお、本明細書では、第１機能性成分及び／又は第２機能性成分を、単に「機能性成分」と称する場合がある。
【００２２】
上記芳香機能を有する機能性成分としては、当技術分野で香料として用いられているものであれば、特に制限されず、例えば、沸点が約２５０℃以下の高揮発性香料、沸点が約２５０〜約３００℃の中揮発性香料が挙げられる。
なお、芳香機能を有する機能性成分を、芳香成分と称する場合がある。
【００２３】
上記高揮発性香料としては、例えば、アニソール、ベンズアルデヒド、酢酸ベンジル、ベンジルアルコール、ギ酸ベンジル、酢酸イソボルニル、シトロネラール、シトロネロール、酢酸シトロネリル、パラシメン、デカナール、ジヒドロリナロール、ジヒドロミルセノール、ジメチルフェニルカルビノール、ユーカリプトール、ｌ−カルボン、ゲラニアール、ゲラニオール、酢酸ゲラニル、ゲラニルニトリル、ネロール、酢酸ネリル、酢酸ノニル、リナロール、酢酸リナリル、フェニルエチルアルコール、α−ピネン、β−ピネン、γ−ピネン、α−ヨノン、β−ヨノン、γ−ヨノン、α−テルピネオール、β−テルピネオール、酢酸テルピニル、テンタローム等が挙げられる。
【００２４】
上記中揮発性香料としては、例えば、アミルシンナムアルデヒド、ジヒドロジャスモン酸メチル、サリチル酸イソアミル、β−カリオフィレン、セドレン、セドリルメチルエーテル、桂皮アルコール、クマリン、ジメチルベンジルカルビニルアセテート、エチルバニリン、オイゲノール、イソオイゲノール、γ−メチルヨノン、ヘリオトロピン、サリチル酸ヘキシル、サリチル酸ｃｉｓ−３−ヘキセニル、フェニルヘキサノール、バニリン、ペンタライド等が挙げられる。
【００２５】
上記香料成分には、グリーンハーバル様香気を有する香料が含まれる。上記グリーンハーバル様香気を有する香料は、月経随伴性症状の中でも特に精神的な不快症状を、身体に物理的刺激を与えることなく、また、経口投与にもよらず、安全かつ簡便に緩和させることができ、そして、ユーザーに快適感も付与する。
【００２６】
上記グリーンハーバル様香気は、グリーン様香気（グリーンノート）又はハーバル様香気（ハーバルノート）を含む香調である。グリーン様香気とは、草や若葉のすがすがしい香調をいう。ハーバル様香気（ハーバルノート）とは、ハーブを用いた自然で、薬草的な香り立ちが特徴の香調をいう。
【００２７】
グリーンハーバル様香気を有する香料としては、例えば、ｃｉｓ−３−ヘキセノール、ギ酸ｃｉｓ−３−ヘキセニル、酢酸ｃｉｓ−３−ヘキセニル、プロピオン酸ｃｉｓ−３−ヘキセニル、酪酸ｃｉｓ−３−ヘキセニル、トランス−２−ヘキセナール、酢酸トランス−２−ヘキセニル、酢酸ヘキシル、酢酸スチラリル、２−メチル−３−（３，４−メチレンジオキシフェニル）−プロパナール（ＩＦＦ社名、ヘリオナール）、３（４）−（５−エチルビシクロ［２，２，１］ヘプチル−２）−シクロヘキサノール、２−ペンチロキシグリコール酸アリル（ＩＦＦ社名、アリルアミルグリコレート）、４−メチル−３−デセン−５−オール（Ｇｉｖａｕｄａｎ社名、ウンデカベルトール）、ヘキシルアルデヒド、２，４−ジメチル−３−シクロヘキセニルカルボキシアルデヒド（ＩＦＦ社名、トリプラール）及びフェニルアセトアルデヒド等が挙げられる。
【００２８】
また、グリーンハーバル様香気を有する香料としては、ｌ−メントール、１，８−シネオール、サリチル酸メチル、シトロネラール、カンファー、ボルネオール、酢酸イソボルニル、酢酸ターピニル、オイゲノール、アネトール、４−メトキシベンジルアルコール及びエストラゴールが挙げられる。
【００２９】
上記冷感機能を有する機能性成分（冷感機能を有する機能性成分を、「冷感成分」と称する場合がある）としては、当技術分野で冷感材として知られているものが挙げられ、例えば、皮膚の神経にある受容体活性化チャネル（ＴＲＰＭ８）に作用するもの、例えば、メントール（例えば、ｌ−メントール）及びその誘導体、サリチル酸メチル、カンファー、植物（例えば、ミント、ユーカリ）由来の精油等が挙げられる。また、上記冷感機能を有する機能性成分としては、気化熱により周囲の温度を下げるもの、例えば、アルコール、例えば、メタノール及びエタノールが挙げられる。
【００３０】
上記消臭機能を有する機能性成分（消臭機能を有する機能性成分を、「消臭成分」と称する場合がある）としては、当技術分野で消臭剤として知られているものが挙げられる。
上記スキンケア機能としては、例えば、消炎機能、鎮痒機能、かぶれ防止機能、保湿機能等が挙げられ、そして上記スキンケア機能を有する機能性成分としては、例えば、メントール、サリチル酸メチル等が挙げられる。
【００３１】
なお、上記スキンケア機能を有する機能性成分を、スキンケア成分と称することがあり、消炎機能、鎮痒機能、かぶれ防止機能及び保湿機能を有する機能性成分を、それぞれ、消炎成分、鎮痒成分、かぶれ防止成分及び保湿成分と称する場合がある。
【００３２】
第１機能性成分及び第２機能性成分のそれぞれは、揮発性を有する。
上記揮発性は、機能性成分が発揮すべき機能によって、その好ましい蒸気圧は異なるが、第１機能性成分及び第２機能性成分は、例えば、２５℃及び１気圧において、好ましくは３０Ｐａ以上、より好ましくは５０Ｐａ以上、そしてさらに好ましくは７０Ｐａ以上の蒸気圧を有する。上記蒸気圧が低すぎると、所望の機能を発揮しにくくなる傾向があり、そして上記蒸気圧が高すぎると、ユーザーが吸収性物品を使用するまでの間に、機能性成分が揮発し、その量が減少する傾向、着用者の皮膚に過度の機能を発揮する等の場合がある。
【００３３】
［マイクロカプセル］
上記水崩壊性のマイクロカプセルは、第２機能性成分をその内側に保持し、体液等の液体に触れると崩壊し、第２機能性成分を外部に放出させる成分である。なお、放出された第２機能性成分は、着用者の体温等により気化し、着用者の肌にその機能を発揮する。
上記マイクロカプセルの水崩壊性の度合いは、液体と接した後、第２機能性成分をどのように放出させるかによって異なり、例えば、液体と接した後に第２機能性成分を速やかに放出させるためには、上記水崩壊性が高いことが好ましく、そして第２機能性成分を徐放させるためには、上記水崩壊性が低いことが好ましい。
【００３４】
本開示の吸収性物品において、マイクロカプセルが水に溶解することにより崩壊する場合には、マイクロカプセルは、２５℃において、水１００ｇに対して、好ましくは１０〜３００ｇ、より好ましくは２０〜２００ｇ、そしてさらに好ましくは３０〜１００ｇの範囲の水溶解度を有する。
上記水溶解度は、試験温度を２５℃にした以外は、ＯＥＣＤガイドラインＮｏ．１０５フラスコ法に従って測定される。
【００３５】
上記マイクロカプセルは、当該マイクロカプセルの分散媒である溶媒に不溶であることが好ましく、そして当該マイクロカプセルの分散媒である溶媒に膨潤しないことが好ましい。内包する第２機能性成分の保護の観点からである。
例えば、上記マイクロカプセルは、２５℃において、マイクロカプセルの分散媒である溶媒１００ｇに対して、好ましくは１．０ｇ以下、より好ましくは０．５ｇ以下、そしてさらに好ましくは０．１ｇ以下の溶媒溶解度を有する。
【００３６】
上記溶媒溶解度は、２５℃において、１００ｇの溶媒に、１．０ｇ（０．５ｇ，０．１ｇ）の試料を添加し、２４時間静置し、必要に応じて軽く攪拌し、次いで、試料が溶解したか否か目視で評価することにより評価する。
【００３７】
上記マイクロカプセルの素材としては、例えば、糖類、例えば、単糖類（例えば、ブドウ糖）、二糖類（例えば、ショ糖）、多糖類（例えば、デキストリン、グルコマンナン、アルギン酸ナトリウム、水溶性でんぷん等）、ゼラチン、水溶性ポリマー（例えば、ポリビニルアルコール、ポリ酢酸ビニル等）等が挙げられる。
【００３８】
上記マイクロカプセルは、目開き７５μｍのふるいを通過し且つ目開き４５μｍのふるい上に残存するものを、好ましくは５０質量％以上、そしてより好ましくは７０質量％以上含む。マイクロカプセルの溶媒への分散性、塗工性等の観点からである。
【００３９】
上記マイクロカプセルは市販されており、例えば、Ｓｙｍｒｉｓｅ社から市販される、ＩＮＣＡＰ（商標）等が挙げられる。
また、上記マイクロカプセルはまた、水にマイクロカプセルの素材を溶解させて水溶液を形成し、当該水溶液に第２機能性成分及び界面活性剤を混合し、上記水溶液をスプレーしながら減圧乾燥することにより製造することができる。
【００４０】
［溶媒］
上記溶媒としては、第２機能性成分をマイクロカプセルに内包させたまま保持し且つ第１機能性成分を保持するものであること、すなわち、第１機能性成分を溶解させるが、マイクロカプセルを溶解又は膨潤させないものであることが好ましい。
なお、マイクロカプセルを分散させる溶媒は、後述のマイクロカプセルに内包されうる第２溶媒と区別するために、第１溶媒と称される場合がある。
【００４１】
水崩壊性のマイクロカプセルを崩壊させない観点からは、上記溶媒は、親油性溶媒であることが好ましい。
上記溶媒は、親油性の観点からは、後述のＩＯＢが、０．００以上且つ好ましくは１．０以下、より好ましくは０．８以下、そしてさらに好ましくは０．６以下である。
【００４２】
ＩＯＢ（Ｉｎｏｒｇａｎｉｃ  Ｏｒｇａｎｉｃ  Ｂａｌａｎｃｅ）は、親水性及び親油性のバランスを示す指標であり、本明細書では、小田らによる次式：
ＩＯＢ＝無機性値／有機性値
により算出される値を意味する。
【００４３】
上記無機性値と、有機性値とは、藤田穆「有機化合物の予測と有機概念図」化学の領域Ｖｏｌ．１１，Ｎｏ．１０（１９５７）ｐ．７１９−７２５）に記載される有機概念図に基づく。
藤田氏による、主要な基の有機性値及び無機性値を、下記表１にまとめる。
【００４４】
【表１】
2019018040.tif 000003
【００４５】
また、上記溶媒は、機能性組成物の塗工性の観点からは、４０℃における０．０１〜８０ｍｍ2／ｓの動粘度を有することが好ましい。
上記動粘度は、ＪＩＳ  Ｋ  ２２８３：２０００の「５．動粘度試験方法」に従って、キャノンフェンスケ逆流形粘度計を用いて、４０℃の試験温度で測定する。
【００４６】
上記溶媒は、１気圧及び２５℃において、好ましくは０．００〜０．０１Ｐａ、より好ましくは０．０００〜０．００１Ｐａ、そしてさらに好ましくは０．００００〜０．０００１Ｐａの蒸気圧を有する。本開示の吸収性物品が、人体に接して用いられることを考慮すると、上記溶媒は、１気圧及び４０℃において、好ましくは０．００〜０．０１Ｐａ、より好ましくは０．０００〜０．００１Ｐａ、そしてさらに好ましくは０．００００〜０．０００１Ｐａの蒸気圧を有する。蒸気圧が高いと、保存中に気化し、溶媒及び第１機能性成分の量の減少、着用時の臭気等の問題が発生する場合があるからである。
【００４７】
上記溶媒としては、例えば、親油性のアルコール系溶媒、エステル系溶媒、エーテル系溶媒、ケトン系溶媒、炭化水素系溶媒が挙げられる。
上記炭化水素系溶媒の例としては、例えば、流動パラフィンが挙げられ、そして上記エステル系溶媒の例としては、ミリスチン酸イソプロピルが挙げられる。
【００４８】
また、上記溶媒は、０．００〜０．６０のＩＯＢと、４０℃における０．０１〜８０ｍｍ2／ｓの動粘度と、０．０１〜４．０質量％の抱水率と、１，０００未満の重量平均分子量とを有する成分（以下、「体液滑性付与剤」と称する場合がある）を含んでもよい。
【００４９】
上記体液滑性付与剤は、本件出願人の出願である、国際公開第２０１２／１３３７２４号パンフレットに記載の「血液改質剤」と同様の成分であり、そして同じく国際公開第２０１３／１２９２３６号パンフレットに記載の「血液滑性付与剤」と同一の成分である。
上記溶媒が体液滑性付与剤を含むことにより、長時間にわたり、液透過性層に到達した体液等を、吸収体の内部に迅速に滑落させることができる。
【００５０】
上記体液滑性付与材の例としては、例えば、トリグリセリド、例えば、日油株式会社製のパナセート８１０ｓ，パナセート８００、炭化水素、例えば、日油株式会社製のパールリーム６が挙げられる。
【００５１】
上記溶媒は、ＰＰＧ−４ブチルエーテル、ＰＰＧ−１２ブチルエーテル、ＰＰＧ−１７ブチルエーテル、ＰＰＧ−２０ブチルエーテル、ＰＰＧ−２４ブチルエーテル、ＰＰＧ−３３ブチルエーテル、ＰＰＧ−４０ブチルエーテル、ＰＰＧ−５２ブチルエーテル、ＰＰＧ−３ミリスチルエーテル、ＰＰＧ−１０セチルエーテル、ＰＰＧ−１１ステアリルエーテル、ＰＰＧ−１５ステアリルエーテル、ＰＰＧ−２ラノリノルエーテル、ＰＰＧ−５ラノリノルエーテル、ＰＰＧ−１０ラノリノルエーテル、ＰＰＧ−２０ラノリノルエーテル、ＰＰＧ−２６オレエート、ＰＰＧ−３６オレエート、ＰＰＧ−５．５キャストラート、ＰＰＧ−６グリセリルエーテル、ＰＰＧ−８グリセリルエーテル、ＰＰＧ−１０グリセリルエーテル、ＰＰＧ−１６グリセリルエーテル、ＰＰＧ−９ジグリセリルエーテル、ＰＰＧ−１４ジグリセリルエーテル、ＰＰＧ−２５ソルビトール、及びＰＰＧ−３３ソルビトール、並びにそれらの任意の組み合わせからから成る群から選択される成分を含むことができる。
【００５２】
上記溶媒は、ＰＰＧ−３０セチルエーテル、ＰＰＧ−１５イソヘキサデシルエーテル、ＰＰＧ−４ラウリルエーテル、ＰＰＧ−２０ジステアラート、ＰＰＧ−１２ジラウラート、ＰＰＧ−１５ジココアート、ＰＰＧ−１０セチルホスフェート、ＰＰＧ−９ラウラート、ＰＰＧ−８ジオクタート、ＰＰＧ−１５ステアラート、ＰＰＧ−８ジエチルヘキシラート、ＰＰＧ−１０グリセリルステアラート、ＰＰＧ−２コカミド、ＰＰＧ−１０タローアミン、ＰＰＧ−１０オレアミド、ＰＰＧ−５スクロースココアート、ＰＰＧ−２０メチルグルコースエーテルジステアラート、ＰＰＧ−２０メチルグルコースエーテルアセタート、ＰＰＧ−２０ソルビタントリステアラート、ＰＰＧ−２０メチルグルコースエーテルジステアラート、ＰＰＧ−１５ステアリルエーテルベンゾアート、ＰＰＧ−１０ソルビタンモノステアラート、ＰＰＧ−１０硬化ヒマシ油、ＰＰＧ−１０セチルエーテルホスフェート、ＰＰＧ−１０ジノニルフェノラート、ＰＰＧ−７ラウリルエーテル、ＰＰＧ−５ラノリンワックスエーテル、ＰＰＧ−５ラノリンワックス、ＰＰＧ−４ホホバアルコールエーテル、ＰＰＧ−３ミリスチルエーテルプロピオナート、ＰＰＧ−３ベンジルエーテルミリスタート、ＰＰＧ−３硬化ヒマシ油、ＰＰＧ−３−ヒドロキシエチルソヤミド、ＰＰＧ−２ラノリンアルコールエーテル、及びＰＰＧ−１ヤシ脂肪酸イソプロパノールアミド、並びにそれらの任意の組み合わせから成る群から選択される成分を含むことができる。
【００５３】
［機能性組成物］
本開示の吸収性物品において、機能性組成物塗布領域に存在する機能性組成物が、所望の機能を所望のタイミングで発揮するメカニズムは、以下の通りである。
ユーザーが吸収性物品を開封すると、上記溶媒（第１溶媒）に溶解した第１機能性成分が揮発し、ユーザーに第１機能性成分の機能が付与される。例えば、第１機能性成分が芳香成分である場合には、ユーザーが周囲に漂う芳香を感じることができる。
【００５４】
また、第１機能性成分が消臭成分である場合には、ユーザーが吸収性物品を開封すると、第１機能性成分が消臭機能を発揮し、ユーザーが、交換すべき吸収性物品が吸収した液体に由来する臭気を感じにくくなる。
【００５５】
第１機能性成分の放出量は、第１機能性成分の量、第１機能性成分の蒸気圧等により変化させることができる。
例えば、吸収性物品に含まれる第１機能性成分の量を増やすこと、蒸気圧の高い第１機能性成分を選択すること等により、第１機能性成分を、短時間に高い濃度で周囲に放出することができる。
一方、例えば、蒸気圧の低い第１機能性成分を選択することにより、第１機能性成分を、長時間にわたり周囲に放出させることができる。
【００５６】
なお、吸収性物品が、個包装の吸収性物品をまとめてパッケージ化して市販されている場合において、個包装の形態、並びにパッケージ化の形態を調整すること、例えば、通気性を有する不織布で吸収性物品を個包装化し、そして個包装化された複数の吸収性物品をポリマーフィルムによりパッケージ化することにより、ユーザーがパッケージを開封した際から、第１機能性成分はその機能を発揮することができる。
【００５７】
次いで、着用者が吸収性物品を着用すると、着用者の体温等によって、第１機能性成分の気化が促進され、第１機能性成分の機能が促進される。例えば、第１機能性成分が芳香成分、冷感成分、消臭成分、抗菌成分又はスキンケア成分である場合には、それぞれ、芳香機能、冷感機能、消臭機能、抗菌機能又はスキンケア機能が促進される。
【００５８】
次いで、吸収性物品が液体を吸収すると、吸収した液体が水崩壊性のマイクロカプセルを崩壊させ、マイクロカプセルから第２機能性成分が放出され、その機能を発揮する。例えば、第２機能性成分が、芳香成分、冷感成分、消臭成分、抗菌成分又はスキンケア成分である場合には、それぞれ、芳香機能、冷感機能、消臭機能、抗菌機能又はスキンケア機能を発揮することができる。
【００５９】
第２機能性成分の放出量は、第２機能性成分の量、第２機能性成分の蒸気圧、マイクロカプセルの水に対する溶解度、マイクロカプセルの層の厚さ、マイクロカプセルの粒径等により変化させることができる。
【００６０】
例えば、吸収性物品に含まれる第２機能性成分の量を増やすこと、蒸気圧の高い第２機能性成分を選択すること、マイクロカプセルの素材として水に対する溶解度の高いものを選択すること、マイクロカプセルの層の厚さを薄くすること、マイクロカプセルの粒径を小さくすること等により、第２機能性成分を、短時間に高濃度で周囲に放出することができる。
【００６１】
また、例えば、吸収性物品に含まれる第２機能性成分の量を減らすこと、蒸気圧の低い第２機能性成分を選択すること、マイクロカプセルの素材として水に対する溶解度の低いものを選択すること、マイクロカプセルの層の厚さを厚くすること、マイクロカプセルの粒径を大きくすること等により、第２機能性成分を、徐放させることができる。
【００６２】
なお、上記マイクロカプセルは、第２機能性成分の放出性を制御するため等の観点から、第２機能性成分の他に、溶媒をさらに含んでもよい（当該溶媒を、「第２溶媒」と称する場合がある）。
第２溶媒としては、第１溶媒と同様のものが挙げられる。
【００６３】
上記機能性組成物において、第１機能性成分の量は、第１機能性成分の機能等によって異なるが、一般的には、上記機能性組成物は、第１機能性成分を、好ましくは０．０１〜２０質量％、より好ましくは０．０５〜１５質量％、そしてさらに好ましくは０．１〜１０質量％の比率で含む。
【００６４】
上記機能性組成物は、第２機能性成分を含むマイクロカプセルを、好ましくは０．１〜６０質量％、より好ましくは５〜４０質量％、そしてさらに好ましくは１０〜３０質量％の比率で含む。機能性組成物の塗工性の観点からである。
なお、機能性組成物中の第２機能性成分の量は、第２機能性成分の機能等によって異なるが、一般的には、上記機能性組成物は、第２機能性成分を、好ましくは０．０１〜３０質量％、より好ましくは０．０５〜２０質量％、そしてさらに好ましくは１〜１５質量％の比率で含む。
【００６５】
［吸収性物品］
本開示の吸収性物品の機能性組成物塗布領域では、機能性組成物の坪量は、機能性成分の濃度等によっても変化するが、好ましくは１〜１２ｇ／ｍ2、そしてより好ましくは２〜１０ｇ／ｍ2である。上記坪量が１ｇ／ｍ2を下回ると、機能性成分がその機能を発揮しにくくなる場合があり、そして上記坪量が１２ｇ／ｍ2を上回ると、溶媒（第１溶媒）が接着剤による接合を阻害する場合がある。
【００６６】
本開示の吸収性物品では、接着剤塗布領域が、吸収性物品の厚さ方向において、液透過性層と、吸収層とを直接又は間接的に接合する接着領域を有する。従って、吸収性物品が、使用時によれにくい。上記接着領域は、機能性組成物を構成する溶媒を含まないことが好ましい。上記溶媒は、接着剤が、液透過性層と、吸収層とを直接又は間接的に接合することを阻害する傾向があるからである。
なお、本明細書において、接着領域が機能性組成物を構成する溶媒を含まないとは、接着領域を構成する接着剤が、上記溶媒を０〜５質量％の量で含むことを意味する。
【００６７】
また、本開示の実施形態の１つに従う吸収性物品では、図１及び図２に示されるように、接着剤塗布領域が、マイクロカプセルを保持するマイクロカプセル保持領域をさらに有する。当該実施形態では、マイクロカプセル保持領域が、マイクロカプセルを保持するため、使用時に、第２機能性成分の位置がずれにくくなる。
なお、上記接着剤塗布領域を形成する接着剤としては、当技術分野で公知の接着剤、例えば、ホットメルト接着剤が挙げられる。
また、液透過性層の非肌当接面にマイクロカプセル保持領域が存在することにより、液透過性層を通過した液体をすばやくマイクロカプセルに到達させることができるため、少ない液体量で第２機能性成分を放出させることができる。
【００６８】
本開示の別の複数の実施形態に従う吸収性物品は、図１及び図２に示されるように、機能性組成物塗布領域を間に挟んで、少なくとも液透過性層及び吸収層をエンボスすることにより形成されたエンボス部を有する。機能性組成物塗布領域では、機能性組成物を構成する溶媒により、接着剤が、液透過性層と、吸収層とを直接又は間接的に接合することを阻害する傾向がある。吸収性物品がエンボス部を有することにより、液透過性層と、吸収層との接合が強固になり、使用時に、吸収性物品がよれにくくなる。
【００６９】
また、当該実施形態の１つでは、当該エンボス部が、第２機能性成分をマイクロカプセルに内包させたまま保持している。それにより、マイクロカプセル、ひいては第２機能性成分を特定の位置に保持し続けることができる。また、エンボス部は、繊維密度の高さから、液体を優先的にエンボス部に導く傾向があるので、少ない液体量で第２機能性成分を放出させることができる。
【００７０】
本開示の別の実施形態に従う吸収性物品では、吸収層が高吸収性材料を含む。当該実施形態では、高吸収性材料が機能性組成物の溶媒をその周囲に保持、吸着等するため、吸収した液体がマイクロカプセルに接触しやすくなり、マイクロカプセルが溶解しやすくなる。
【００７１】
上記高吸水性材料としては、例えば、デンプン系、セルロース系、合成ポリマー系の高吸水性材料が挙げられる。デンプン系又はセルロース系の高吸水性材料としては、例えば、デンプン−アクリル酸（塩）グラフト共重合体、デンプン−アクリロニトリル共重合体のケン化物、ナトリウムカルボキシメチルセルロースの架橋物等が挙げられ、合成ポリマー系の高吸水性材料としては、例えば、ポリアクリル酸塩系、ポリスルホン酸塩系、無水マレイン酸塩系、ポリアクリルアミド系、ポリビニルアルコール系、ポリエチレンオキシド系、ポリアスパラギン酸塩系、ポリグルタミン酸塩系、ポリアルギン酸塩系、デンプン系、セルロース系等の高吸水性樹脂等が挙げられるが、これらのうちポリアクリル酸塩系（特に、ポリアクリル酸ナトリウム系）の高吸水性樹脂が好ましい。
【００７２】
本開示の吸収性物品では、第１機能性成分及び第２機能性成分は、任意の観点から選択される。例えば、第１機能性成分を芳香成分から選択し且つ第２機能性成分を冷感成分から選択することにより、吸収性物品を開封した後、着用者に芳香を提供し、そして体液を吸収後、着用者に冷感を提供する。また、夜用の吸収性物品はそのサイズが大きくなることから、着用時に蒸れやすくなる傾向にあるが、第２機能性成分として冷感成分を採用することにより、着用者が不快感を覚えにくくなる。
【００７３】
第１機能性成分及び第２機能性成分を、それぞれ、異なる香料成分から選択することにより、機能性成分を、ユーザー、特に、使い捨ておむつにおける母親、介護者等に体液が吸収されたことを知らせる、インジケーター材として用いることができる。
また、第１機能性成分及び第２機能性成分を、それぞれ、同一の香料成分から選択し、そしてその量を変えることにより、香りにアクセントを付けることができる。例えば、液体を吸収する前は、第１機能性成分に由来するほのかな香りが漂い、そして液体を吸収した後は、第２機能性成分に由来する、液体を吸収する前よりも強い同一の香りを漂わせることができる。
また、第２機能性成分として、消臭成分、又は香料成分、好ましくは香りの強度の高い香料成分を採用することにより、機能性成分を香りのマスキング材として用いることができる。
【００７４】
図３は、本開示の別の実施形態に従う吸収性物品の断面図である。図３は、図１のＩＩ−ＩＩ断面に相当する。図３に示される吸収性物品１は、トップシート２と、吸収体４との間の補助シート１２を含み、機能性組成物塗布領域８が、補助シート１２及び吸収体４の間に形成されている。図３に示される吸収性物品１ではまた、接着剤塗布領域９が、補助シート１２及び吸収体４の間、具体的には、吸収体４と接して配置されている。その他の部分は、図１及び図２に示される実施形態と同様であるので説明を省略する。
【００７５】
図３に示されるような実施形態では、機能性組成物と、着用者との間に、補助シートの層が追加されるため、機能性成分の着用者の皮膚に対する作用が、より穏やかになる傾向がある。
なお、補助シートの素材としては、トップシートと同様のもの、例えば、不織布が挙げられる。
【００７６】
図３に示される実施形態では、機能性組成物塗布領域及び接着剤塗布領域の両方が、補助シート層と、吸収層との間に配置されていたが、本開示のさらに別の実施形態に従う吸収性物品では、機能性組成物塗布領域及び／又は接着剤塗布領域が、液透過性層と、補助シート層との間に配置されている。そうすることにより、吸収した液体が、マイクロカプセルを溶解しやすくなり、第２機能性成分が放出されやすくなる。
【００７７】
［吸収性物品の製造］
上記機能性組成物は、例えば、上述の溶媒に、第１機能性成分と、第２機能性成分を内包するマイクロカプセルを添加し、混合することにより形成される。第２機能性成分を内包するマイクロカプセルは、市販されているほか、上述のように形成することができる。
【００７８】
上記機能性組成物は当技術分野で公知の塗工機、例えば、ロール型塗工機、カーテン型塗工機、スリット型塗工機、スプレー型塗工機、ディップ型塗工機、ビード型塗工機、フレキソ型塗工機、グラビア型塗工機等を用いて塗工されうる。
上記機能性組成物は、機能性組成物の塗出口が、塗布すべき面と接している接触型塗工機により塗布されることが好ましい。機能性組成物を飛散させることなく、機能性組成物を所望の位置に配置することができる、すなわち、機能性組成物塗布領域を、所望の位置に配置することができるからである。
上記接触型塗工機としては、ロール型塗工機、スリット型塗工機、ディップ型塗工機、ビード型塗工機、フレキソ型塗工機、グラビア型塗工機が挙げられる。
【００７９】
機能性組成物の塗工例を含む吸収性物品の製造例を、図４に示される塗工例を用いて説明する。
（ｉ）ホットメルトガン（図示せず）を用いて、液透過性層としてのトップシート２を、接着剤で塗工し、トップシート２の上に接着剤塗布領域９を形成する。
（ｉｉ）コーター１３を用いて、トップシート２を、接着剤塗布領域９を間に挟んで、機能性組成物で塗工し、トップシート２及び接着剤塗布領域９の上に機能性組成物塗布領域８を形成する。
【００８０】
（ｉｉｉ）トップシート２の上に、接着剤塗布領域９及び機能性組成物塗布領域８を間に挟んで、吸収体（図示せず）を積み重ねて、積み重ね物を形成する。
（ｉｖ）上記積み重ね物を、一対のエンボスロール（図示せず）に通して、機能性組成物塗布領域８を間に挟んで、トップシート２及び吸収体４をエンボスし、エンボス部（図示せず）を形成する。
（ｖ）吸収体４の上にバックシート（図示せず）を積み重ね、その周囲をエンボスすることにより、吸収性物品を形成する。
【００８１】
なお、（ｉｉ）において、機能性組成物は、第１機能性成分と、第２機能性成分を別個に塗装してもよい。例えば、第１機能性成分及び溶媒を含む塗布液と、第２機能性成分を含むマイクロカプセル及び溶媒とを含む塗布液とを、別個のノズルから塗出し、トップシート２及び接着剤塗布領域９の上に機能性組成物塗布領域８を形成してもよい。
【００８２】
上記製造例により、図１に示される吸収性物品１において、接着剤塗布領域９と、機能性組成物塗布領域８との位置が逆転したものが製造される。
すなわち、図１に示される吸収性物品１を製造するためには、接着剤塗布領域９を形成する工程と、機能性組成物塗布領域８を形成する工程とを入れ替えればよい。
【００８３】
本開示の吸収性物品の例としては、生理用ナプキン、パンティーライナー、使い捨ておむつ、尿取りパッド等が挙げられる。
【実施例】
【００８４】
以下、例を挙げて本開示を説明するが、本開示はこれらの例に限定されるものではない。
［実施例１］
第２機能性成分を内包するマイクロカプセルとして、Ｓｙｍｒｉｓｅ社製のＩＮＣＡＰ  ＭＥＮＴＨＯＬ／ＩＰＭを準備した。ＩＮＣＡＰ  ＭＥＮＴＨＯＬ／ＩＰＭは、第２機能性成分として、冷感成分（メントール）を含有し、そしてマイクロカプセルの素材は、材質変性デンプンであった。
第１機能性成分としての香料成分を含有する溶媒を準備した。上記溶媒は、ＩＰＭ（ミリスチン酸イソプロピル）であった。
上記マイクロカプセルと、溶媒とを、５０：５０の質量比で混合することにより、機能性組成物Ｎｏ．１を準備した。
【００８５】
図４に示される製造工程を用いて、図１に示される生理用ナプキンＮｏ．１を製造し、次いで、生理用ナプキンＮｏ．１を、ポリエチレンフィルムにより個包装した。
なお、機能性組成物塗布領域において、機能性組成物の坪量は、４ｇ／ｍ2であった。
【００８６】
生理用ナプキンＮｏ．１を、複数のボランティアの被験者に使用してもらったところ、個包装の開封後、並びに着用中において、生理用ナプキンＮｏ．１から香料の香りが漂い、そして生理用ナプキンＮｏ．１が経血を吸収した後では、吸収性物品Ｎｏ．１と接している部分に冷感を覚えたとの回答を得た。
【００８７】
具体的には、本開示は以下のＪ１〜Ｊ１１に関する。
［Ｊ１］
液透過性層と、液不透過性層と、上記液透過性層及び液不透過性層の間の吸収層と、機能性組成物とを含み、平面方向及び厚さ方向を有する吸収性物品であって、
上記機能性組成物が、揮発性を有する第１機能性成分と、揮発性を有する第２機能性成分と、第２機能性成分を内包する水崩壊性のマイクロカプセルと、第２機能性成分を上記マイクロカプセルに内包させたまま保持する溶媒とを含み、
上記吸収性物品が、上記液透過性層及び上記吸収層の間に、上記平面方向に広がる、上記機能性組成物が塗布された機能性組成物塗布領域と、接着剤が塗布された接着剤塗布領域とを有し、そして
上記接着剤塗布領域が、上記液透過性層及び上記吸収層を直接又は間接的に接合する接着領域を有する、
ことを特徴とする、上記吸収性物品。
【００８８】
［Ｊ２］
上記接着剤塗布領域が、上記マイクロカプセルを保持するマイクロカプセル保持領域を有する、Ｊ１に記載の吸収性物品。
［Ｊ３］
上記接着領域が、上記溶媒を含まない、Ｊ１又はＪ２に記載の吸収性物品。
【００８９】
［Ｊ４］
上記吸収性物品が、機能性組成物塗布領域を間に挟んで、少なくとも上記液透過性層及び吸収層をエンボスすることにより形成されたエンボス部を有し、当該エンボス部が、上記マイクロカプセル及び第２機能性成分を保持している、Ｊ１〜Ｊ３のいずれか一項に記載の吸収性物品。
【００９０】
［Ｊ５］
上記溶媒が、０．００〜０．６０のＩＯＢと、４０℃における０．０１〜８０ｍｍ2／ｓの動粘度と、１気圧及び２５℃における０．００〜０．０１Ｐａの蒸気圧を有する、Ｊ１〜Ｊ４のいずれか一項に記載の吸収性物品。
【００９１】
［Ｊ６］
上記吸収層が、高吸収性材料を含む、Ｊ１〜Ｊ５のいずれか一項に記載の吸収性物品。
［Ｊ７］
第１機能性成分及び第２機能性成分のそれぞれが、芳香機能、冷感機能、消臭機能、抗菌機能、スキンケア機能、並びにそれらの任意の組み合わせから成る群から選択される機能を有する、Ｊ１〜Ｊ６のいずれか一項に記載の吸収性物品。
【００９２】
［Ｊ８］
第２機能性成分が、冷感機能を有する、Ｊ１〜Ｊ７のいずれか一項に記載の吸収性物品。
［Ｊ９］
第１機能性成分が、芳香機能を有する、Ｊ１〜Ｊ８のいずれか一項に記載の吸収性物品。
【００９３】
［Ｊ１０］
上記吸収性物品が、上記液透過性層と、上記吸収層との間の補助シート層を含み、上記機能性組成物塗布領域が、上記液透過性層及び上記補助シート層の間、又は上記補助シート層及び上記吸収層の間に形成されている、Ｊ１〜Ｊ９のいずれか一項に記載の吸収性物品。
［Ｊ１１］
上記接着剤塗布領域が、上記液透過性層及び上記補助シートの間、又は上記補助シート及び上記吸収層の間に形成されている、Ｊ１０に記載の吸収性物品。
【符号の説明】
【００９４】
１    吸収性物品
２    トップシート
３    バックシート
４    吸収体
５    サイドシート
６    サイドフラップ
７    エンボス部
８    機能性組成物塗布領域
９    接着剤塗布領域
１０    接着領域
１１    マイクロカプセル保持領域
１２    補助シート
１３    コーター
【図１】
2019018040.tif 000004
【図２】
2019018040.tif 000005
【図３】
2019018040.tif 000006
【図４】
2019018040.tif 000007
【手続補正書】
【提出日】平成30年11月1日(2018.11.1)
【手続補正１】
【補正対象書類名】特許請求の範囲
【補正対象項目名】全文
【補正方法】変更
【補正の内容】
【特許請求の範囲】
【請求項１】
接着剤の、吸収性物品への使用であって、
前記吸収性物品が、液透過性層と、液不透過性層と、前記液透過性層及び液不透過性層の間の吸収層と、機能性組成物とを含み、平面方向及び厚さ方向を有し、
前記吸収性物品が、前記液透過性層及び前記吸収層の間に、前記平面方向に広がる、前記機能性組成物が塗布された機能性組成物塗布領域と、前記接着剤が塗布された接着剤塗布領域とを有し、そして
前記接着剤塗布領域が、前記液透過性層及び前記吸収層を直接又は間接的に接合する接着領域を有する、
ことを特徴とする、前記使用。
【請求項２】
前記接着剤塗布領域が、前記接着領域を、前記機能性組成物塗布領域と隣接して有する、請求項１に記載の使用。
【請求項３】
前記機能性組成物が、溶媒を含む、請求項１又は２に記載の使用。
【請求項４】
前記機能性組成物が、水崩壊性のマイクロカプセルと、前記マイクロカプセルに内包されている、揮発性を有する機能性成分とをさらに含み、前記溶媒が、前記機能性成分を前記マイクロカプセルに内包させたまま保持する、請求項３に記載の使用。
【請求項５】
前記接着剤塗布領域が、前記マイクロカプセルを保持するマイクロカプセル保持領域をさらに有し、前記マイクロカプセル保持領域と、前記接着領域とが隣接して配置されている、請求項４に記載の使用。
【請求項６】
前記機能性組成物が、揮発性を有する第１機能性成分をさらに含み、請求項１〜５のいずれか一項に記載の使用。
【請求項７】
液透過性層と、液不透過性層と、前記液透過性層及び液不透過性層の間の吸収層と、機能性組成物とを含み、平面方向及び厚さ方向を有する吸収性物品であって、
前記機能性組成物が、水崩壊性のマイクロカプセルと、前記マイクロカプセルに内包されている、揮発性を有する機能性成分と、前記機能性成分を前記マイクロカプセルに内包させたまま保持する溶媒とを含み、
前記吸収性物品が、前記液透過性層及び前記吸収層の間に、前記平面方向に広がる、前記機能性組成物が塗布された機能性組成物塗布領域と、接着剤が塗布された接着剤塗布領域とを有し、そして
前記接着剤塗布領域が、前記液透過性層及び前記吸収層を直接又は間接的に接合する接着領域を有する、
ことを特徴とする、前記吸収性物品。
【請求項８】
前記接着剤塗布領域が、前記接着領域を、前記機能性組成物塗布領域と隣接して有する、請求項７に記載の吸収性物品。
【請求項９】
前記接着剤塗布領域が、前記マイクロカプセルを保持するマイクロカプセル保持領域をさらに有し、前記マイクロカプセル保持領域と、前記接着領域とが隣接して配置されている、請求項７又は８に記載の吸収性物品。
【請求項１０】
前記接着領域が、前記溶媒を含まない、請求項７〜９のいずれか一項に記載の吸収性物品。
【請求項１１】
前記吸収性物品が、前記機能性組成物塗布領域を間に挟んで、少なくとも前記液透過性層及び吸収層をエンボスすることにより形成されたエンボス部を有し、当該エンボス部が、前記マイクロカプセル及び前記機能性成分を保持している、請求項７〜１０のいずれか一項に記載の吸収性物品。
【請求項１２】
上記溶媒が、０．００〜０．６０のＩＯＢと、４０℃における０．０１〜８０ｍｍ2／ｓの動粘度と、１気圧及び２５℃における０．００〜０．０１Ｐａの蒸気圧を有する、請求項７〜１１のいずれか一項に記載の吸収性物品。
【請求項１３】
前記吸収層が、高吸収性材料を含む、請求項７〜１２のいずれか一項に記載の吸収性物品。
【請求項１４】
前記機能性成分のそれぞれが、芳香機能、冷感機能、消臭機能、抗菌機能、スキンケア機能、並びにそれらの任意の組み合わせから成る群から選択される機能を有する、請求項７〜１３のいずれか一項に記載の吸収性物品。
【請求項１５】
前記機能性成分が、冷感機能を有する、請求項７〜１４のいずれか一項に記載の吸収性物品。